(57)【要約】      （修正有）【課題】多機能性を備え、維持管理が容易で、構造が簡単な介護用車椅子を提供する。【解決手段】４隅部にそれぞれ支柱部材１２ａ〜１２ｄを設けてその中位部に座板１４を水平に取付け、座板の前側縁部を座るための開放部とし、その両側に位置する前部支柱部材１２ａ、１２ｂの下端部と、座板の後側縁部における両側に位置する後部支柱部材１２ｃ、１２ｄの下端部とを、それぞれ支持底板１６で支承し、後部支柱部材の上端部間に背当て板２０を取付け、座板の両側部に対応する前部支柱部材と後部支柱部材との上端部間に肘掛け部材２１、２２を掛け渡し固定すると共にこの肘掛け部材の後端部をハンドル部２１Ａ、２２Ａとして延長形成し、支持底板１６の各支柱部材１２ａ、１２ｂ、１２ｃ、１２ｄと対応する底面側に各一対の前部キャスタ２４ａ、２４ｂと後部キャスタ２４ｃ、２４ｄとを取付け、さらに座板１４の中央部分１５を取外し可能にした構成からなる。【選択図】図１
0003109802.tif 000002
【実用新案登録請求の範囲】
【請求項１】
４隅部にそれぞれ支柱部材を設けてその中位部に座板を水平に取付け、前記座板の前側縁部を座るための開放部とし、その両側に位置する前部支柱部材の下端部と、前記座板の後側縁部における両側に位置する後部支柱部材の下端部とを、それぞれ支持底板で支承し、前記後部支柱部材の上端部間に背当て板を取付け、前記座板の両側部に対応する前部支柱部材と後部支柱部材との上端部間に肘掛け部材を掛け渡し固定すると共にこの肘掛け部材の後端部をハンドル部として延長形成し、前記支持底板の前記各支柱部材と対応する底面側に各一対の前部キャスタと後部キャスタとを取付け、さらに前記座板の中央部分を取外し可能に構成したことを特徴とする介護用車椅子。
【請求項２】
前記介護用車椅子の支柱部材、座板、支持底板、背当て板、肘掛け部材およびハンドル部の全部またはその一部を、木材により構成して組み立てたことを特徴とする請求項１記載の介護用車椅子。
【請求項３】
前記取外し可能に構成した座板の中央部分を除いた座板の下側面に、汚物収納袋の開口縁部を着脱可能に係止するための複数のフックを適宜設けたことを特徴とする請求項１記載の介護用車椅子。
【請求項４】
前記支持底板は、それぞれ中央部において連結板により同一平面上で接続固定し、前記連結板の上面において前記汚物収納袋の底部を支承するように構成したことを特徴とする請求項１ないし３のいずれかに記載の介護用車椅子。
【請求項５】
前記座板の両側部に対応する前部支柱部材と後部支柱部材との上端部間に掛け渡し固定した肘掛け部材の前端部に、それぞれ掛け止め金具を取付け、これら一対の掛け止め金具に対してテーブルの両側部に設けた固定支持金具を掛け止めて、食事ないし作業に便宜なテーブルを着脱自在に取付けたことを特徴とする請求項１ないし４のいずれかに記載の介護用車椅子。
【考案の詳細な説明】
【技術分野】
【０００１】
本考案は、介護用車椅子に係り、要介護者に対する移動の便宜のみならず、食事に際してのテーブル使用、浴室での使用、トイレ使用、屋内および屋外での使用等、要介護者に必要な多くの介護目的に使用できる機能を備え、比較的簡単な構成にして低コストに製造することができ、しかも取扱いが簡便にして衛生的な維持管理も容易となる介護用車椅子に関するものである。
【背景技術】
【０００２】
従来より、この種の介護用車椅子として、要介護者に必要な種々の介護目的に使用できる機能を備えたものが、多数提案され実用化されている。例えば、要介護者が緊急に用便を行うことができるようにした、便器付きの介護用車椅子が提案されている（特許文献１参照）。すなわち、この特許文献１に開示される介護用車椅子は、椅子の座板を少なくとも三分割し、その中央側の座板を引出し可能にすると共に、当該座板の引出しによって空間となる椅子の下側に用便受けを設けた構成からなるものである。
【０００３】
また、入浴姿勢にした要介護者を乗せ、洗浄、清拭、入浴等を行うことができるようにした昇降式の介護用車椅子が提案されている（特許文献２参照）。すなわち、この特許文献２に開示される介護用車椅子は、入浴時には、座席部が浴槽内にあり、台車部は浴槽外にあり、座席部と台車部の間が支柱で連結された入浴用の昇降式車椅子であって、座席部と台車部の間隔を任意に変更できる昇降機能部が、座席部と台車部の間に設けられ、座席部の高さが任意に変更できるようにした構成からなるものである。
【０００４】
さらに、台車に対して、入浴用座席、一般用座席、トイレ用座席等を、それぞれ交換可能かつ分離可能に組み立てることができる多機能的な介護用車椅子が提案されている（特許文献３参照）。すなわち、この特許文献３に開示される介護用車椅子は、台車上部に座席取付部を設け、座席下部のＶ溝を座席取付部と組み立てるようにし、座席部を吊り上げる時は先に足置き部をストッパーまで持ち上げ、続いて全体を吊り上げるように構成したものである。
【０００５】
【特許文献１】実開昭６４−３６２４号公報
【特許文献２】特開平１０−７５９８８号公報
【特許文献３】実用新案登録第３０８７０２０号公報
【考案の開示】
【考案が解決しようとする課題】
【０００６】
前記特許文献１ないし特許文献３等において、それぞれ提案されている従来の介護用車椅子は、一般的な介護移動に加えて、入浴使用やトイレ使用等に適するような多機能性を備えたものであるが、構造が複雑であり、介護者の取扱いが煩雑となるばかりでなく、製造コストが増大する難点がある。また、この種の介護用車椅子は、入浴使用やトイレ使用等を行った後の衛生的な維持管理や、介護用車椅子を常に適正な作動が可能となるように、適切な保守管理も必要かつ不可欠である。従って、従来の多機能性を備えた介護用車椅子は、設備に際しての費用が嵩むばかりでなく、その維持管理に際しても手間と費用が嵩む難点がある。
【０００７】
そこで、本考案者は、種々検討並びに工夫を重ねた結果、まず要介護者にとって身体に優しい天然木材を使用することに着目し、座板とこれを取り囲む４隅部の支柱部材を構成し、次いで前記座板の前側縁部を座るための開放部とし、その両側に位置する前部支柱部材の下端部と、前記座板の後側縁部における両側に位置する後部支柱部材の下端部とを、それぞれ支持底板で支承する構成とした。
そして、前記後部支柱部材の上端部間に背当て板を取付け、前記座板の両側部に対応する前部支柱部材と後部支柱部材との上端部間に肘掛け部材を掛け渡し固定すると共にこの肘掛け部材の後端部をハンドル部として延長形成し、前記支持底板の前記各支柱部材と対応する底面側に各一対の前部キャスタと後部キャスタとを取付けて、介護用車椅子を完成させた。
さらに、前記座板の中央部分を取外し可能に構成して、トイレ使用も可能な構成とすることにより、入浴使用やトイレ使用等の多機能性を備え、しかも木材の使用によって前記使用後の衛生的な維持管理が容易となると共に、特別な保守管理を要することなく介護用車椅子の常に適正な作動を可能とし、しかも低コストに製造できることから設備ないし維持管理費用も著しく低減することができる介護用車椅子が得られることを突き止めた。
【０００８】
従って、本考案の目的は、入浴使用やトイレ使用等の多機能性を備え、しかも衛生的な維持管理が容易となると共に、特別な保守管理を要することなく介護用車椅子の常に適正な作動を可能とし、構造が簡単にして低コストに製造することができ、設備ないし維持管理費用も著しく低減することができる、要介護者にとって身体に優しい介護用車椅子を提供することにある。
【課題を解決するための手段】
【０００９】
前記目的を達成するため、本考案の請求項１に記載の介護用車椅子は、４隅部にそれぞれ支柱部材を設けてその中位部に座板を水平に取付け、前記座板の前側縁部を座るための開放部とし、その両側に位置する前部支柱部材の下端部と、前記座板の後側縁部における両側に位置する後部支柱部材の下端部とを、それぞれ支持底板で支承し、前記後部支柱部材の上端部間に背当て板を取付け、前記座板の両側部に対応する前部支柱部材と後部支柱部材との上端部間に肘掛け部材を掛け渡し固定すると共にこの肘掛け部材の後端部をハンドル部として延長形成し、前記支持底板の前記各支柱部材と対応する底面側に各一対の前部キャスタと後部キャスタとを取付け、さらに前記座板の中央部分を取外し可能に構成したことを特徴とする。
【００１０】
本考案の請求項２に記載の介護用車椅子は、前記介護用車椅子の支柱部材、座板、支持底板、背当て板、肘掛け部材およびハンドル部の全部またはその一部を、木材により構成して組み立てたことを特徴とする。
【００１１】
本考案の請求項３に記載の介護用車椅子は、前記取外し可能に構成した座板の中央部分を除いた座板の下側面に、汚物収納袋の開口縁部を着脱可能に係止するための複数のフックを適宜設けたことを特徴とする。
【００１２】
本考案の請求項４に記載の介護用車椅子は、前記支持底板を、それぞれ中央部において連結板により同一平面上で接続固定し、前記連結板の上面において前記汚物収納袋の底部を支承するように構成したことを特徴とする。
【００１３】
本考案の請求項５に記載の介護用車椅子は、前記座板の両側部に対応する前部支柱部材と後部支柱部材との上端部間に掛け渡し固定した肘掛け部材の前端部に、それぞれ掛け止め金具を取付け、これら一対の掛け止め金具に対してテーブルの両側部に設けた固定支持金具を掛け止めて、食事ないし作業に便宜なテーブルを着脱自在に取付けたことを特徴とする。
【考案の効果】
【００１４】
本考案の請求項１に記載の介護用車椅子によれば、入浴使用やトイレ使用等の多機能性を備え、しかも使用後の衛生的な維持管理が容易となると共に、特別な保守管理を要することなく介護用車椅子の常に適正な作動を可能とし、しかも簡単な構成にして低コストに製造することができると共に、設備ないし維持管理費用も著しく低減することができる介護用車椅子を得ることができる。
【００１５】
本考案の請求項２に記載の介護用車椅子によれば、介護用車椅子の支柱部材、座板、支持底板、背当て板、肘掛け部材およびハンドル部の全部またはその一部を、木材により構成することにより、要介護者にとって身体に優しい介護用車椅子を低コストに提供することができる。
【００１６】
本考案の請求項３および４に記載の介護用車椅子によれば、取外し可能に構成した座板の中央部分に対して、汚物収納袋を簡便に着脱可能に係止して、屋内および屋外でのトイレ使用を簡便かつ容易にすることができる。
【００１７】
本考案の請求項５に記載の介護用車椅子によれば、肘掛け部材の前端部に、テーブルを必要に応じて簡便かつ容易に着脱可能に取付けることができ、これにより要介護者の食事ないし作業の便宜に供することができ、介護用車椅子としての多機能性を高めることができる。
【考案を実施するための最良の形態】
【００１８】
次に、本考案に係る介護用車椅子の実施例につき、添付図面を参照しながら以下詳細に説明する。
【実施例１】
【００１９】
図１ないし図６は、本考案に係る介護用車椅子の一実施例を示すものである。すなわち、図１は本実施例の介護用車椅子の概略斜視図、図２は図１の介護用車椅子の正面図、図３は同じく背面図、図４は同じく側面図、図５は同じく平面図、図６は同じく底面図である。すなわち、図１ないし図６において、本実施例の介護用車椅子１０Ａは、４隅部に設けられた支柱部材１２ａ、１２ｂ、１２ｃ、１２ｄと、その中位部に水平に取付けた座板１４と、前記座板１４の前側縁部１４ａを座るための開放部としてその両側に位置する前部支柱部材１２ａ、１２ｂの下端部と、前記座板１４の後側縁部１４ｂにおける両側に位置する後部支柱部材１２ｃ、１２ｄの下端部とを、それぞれ支承する支持底板１６と、前記後部支柱部材１２ｃ、１２ｄの上端部間に取付けられた背当て板２０と、前記座板１４の両側部に対応する前部支柱部材１２ａ、１２ｂと後部支柱部材１２ｃ、１２ｄとの上端部間にそれぞれ掛け渡し固定した一対の肘掛け部材２１、２２と、これら肘掛け部材２１、２２の後端部に延長形成されたハンドル部２１Ａ、２２Ａとから基本的に構成される（図１参照）。
【００２０】
そして、前記支持底板１６の各支柱部材１２ａ、１２ｂおよび１２ｃ、１２ｄと対応する底面側には、一対の前部キャスタ２４ａ、２４ｂと、一対の後部キャスタ２４ｃ、２４ｄとを取付ける（図１〜図４、図６参照）。この場合、前記各前部キャスタ２４ａ、２４ｂおよび後部キャスタ２４ｃ、２４ｄは、それぞれ図示のように、３６０°回転自在な構成とすると共に、後部キャスタ２４ｃ、２４ｄについては、ブレーキペダルを備えた構成とする。このように構成した本実施例の介護用車椅子は、直進および旋回移動並びに停止等の操作を、容易かつ簡便にして、しかも安全に行うことができる。
【００２１】
さらに、前記座板１４の中央部分１５を取外し可能に構成する（図１、図２、図５、図７参照）。このように構成することにより、介護用車椅子のトイレ使用を可能とする。この場合、前記取外し可能に構成した座板１４の中央部分１５を除いた座板１４の下側面に、汚物収納袋２５の開口縁部を着脱可能に係止するための複数のフック２６を適宜設ける（図７、図８参照）。また、前記支持底板１６の上面において前記汚物収納袋２５の底部を支承するように構成する（図８参照）。
【００２２】
前述した構成からなる本実施例の介護用車椅子１０Ａは、特に介護用車椅子１０Ａの構成部材である支柱部材１２ａ、１２ｂ、１２ｃ、１２ｄ、座板１４、支持底板１６、背当て板２０、肘掛け部材２１、２２およびそのハンドル部２１Ａ、２２Ａを、天然木材等を使用して組み立てることにより、要介護者にとって身体に優しい介護用車椅子を提供することができる。
【００２３】
そして、このように構成した本実施例の介護用車椅子１０Ａは、要介護者の移動目的のみならず、入浴使用やトイレ使用等の多機能性を同時に備えており、しかも使用後の衛生的な維持管理も容易となると共に、特別な保守管理を要することなく介護用車椅子の常に適正な作動を可能とし、しかも簡単な構成にして低コストに製造することができると共に、設備ないし維持管理費用も著しく低減することができる等の利点が得られる。
【実施例２】
【００２４】
図９ないし図１４は、本考案に係る介護用車椅子の別の実施例を示すものである。すなわち、図９は本実施例の介護用車椅子の概略斜視図、図１０は図９の介護用車椅子の正面図、図１１は同じく背面図、図１２は同じく側面図、図１３は同じく平面図、図１４は同じく底面図である。しかるに、本実施例の介護用車椅子１０Ｂは、前記実施例１の介護用車椅子１０Ａに対して、テーブル３０を着脱可能に取付けた構成としたものであり、その他の構成は前記実施例１の介護用車椅子１０Ａの構成と同一である。従って、図１ないし図６に示す実施例１の介護用車椅子１０Ａと同一の構成部材については、同一の参照符号を付し、その詳細な説明は省略する。
【００２５】
しかるに、図９ないし図１４において、本実施例の介護用車椅子１０Ｂにおいては、座板１４の両側部に対応する前部支柱部材１２ａ、１２ｂと後部支柱部材１２ｃ、１２ｄとの上端部間に掛け渡し固定した肘掛け部材２１、２２の前端部に、それぞれ掛け止め金具３４、３４を取付け、これら一対の掛け止め金具３４、３４に対して、テーブル３０の両側部に設けた一対の固定支持金具３２、３２を、それぞれ固定支持金具３２、３２に設けた係止穴を介して掛け止めることにより、テーブル３０を着脱自在に取付けた構成からなる（図９、図１０〜図１４参照）。その他の構成は、前記実施例１の介護用車椅子１０Ａと同様である。
【００２６】
従って、前述した構成からなる本実施例の介護用車椅子１０Ｂは、肘掛け部材２１、２２の前端部に、テーブル３０を必要に応じて簡便かつ容易に着脱可能に取付けることができる。これにより、前述した介護用車椅子１０Ａの有する利点と共に、要介護者の食事ないし作業の便宜に供することができ、介護用車椅子１０Ｂとしての多機能性を高めることができる。
【００２７】
以上、本考案の好適な実施例について説明したが、本考案は前記実施例に限定されることなく、例えば支柱部材、座板、支持底板、背当て板、肘掛け部材、連結板およびテーブルについて、それぞれの構成部材および結合手段等については、公知の各種の資材および手段を採用することができる等、その他本考案の精神を逸脱しない範囲内において多くの改良変更を行うことができる。
【図面の簡単な説明】
【００２８】
【図１】本考案に係る介護用車椅子の一実施例を示す概略斜視図である。
【図２】図１における介護用車椅子の正面図である。
【図３】図１における介護用車椅子の背面図である。
【図４】図２に示す介護用車椅子の側面図である。
【図５】図２に示す介護用車椅子の平面図である。
【図６】図２に示す介護用車椅子の底面図である。
【図７】図５に示す介護用車椅子の中央部座板を取外した状態のＡ−Ａ線断面図である。
【図８】図６に示す介護用車椅子を便座として使用する場合の使用状態説明図である。
【図９】本考案に係る介護用車椅子の別の実施例を示す概略斜視図である。
【図１０】図９における介護用車椅子の正面図である。
【図１１】図９における介護用車椅子の背面図である。
【図１２】図１０に示す介護用車椅子の側面図である。
【図１３】図１０に示す介護用車椅子の平面図である。
【図１４】図１０に示す介護用車椅子の底面図である。
【符号の説明】
【００２９】
１０Ａ、１０Ｂ  介護用車椅子
１２ａ、１２ｂ  前部支柱部材
１２ｃ、１２ｄ  後部支柱部材
１４  座板
１５  座板の中央部分
１６  支持底板
２０  背当て板
２１、２２  肘掛け部材
２１Ａ、２２Ａ  ハンドル部
２４ａ、２４ｂ  前部キャスタ
２４ｃ、２４ｄ  後部キャスタ
２５  汚物収納袋
２６  フック
３０  テーブル
３２  固定支持金具
３２ａ  係止穴
３４  掛け止め金具
【図１】
0003109802.tif 000003
【図２】
0003109802.tif 000004
【図３】
0003109802.tif 000005
【図４】
0003109802.tif 000006
【図５】
0003109802.tif 000007
【図６】
0003109802.tif 000008
【図７】
0003109802.tif 000009
【図８】
0003109802.tif 000010
【図９】
0003109802.tif 000011
【図１０】
0003109802.tif 000012
【図１１】
0003109802.tif 000013
【図１２】
0003109802.tif 000014
【図１３】
0003109802.tif 000015
【図１４】
0003109802.tif 000016